【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
弛張発振器のための回路要素であって、
第１の出力及び第２の出力を有する電流スワップ回路、
前記電流スワップ回路の前記第１の出力に結合される第１の電流レッグ、
前記電流スワップ回路の前記第２の出力に結合される第２の電流レッグ、及び
前記電流スワップ回路の前記第１の出力及び前記第２の出力に結合される共用電流レッグ、
を含み、
前記電流スワップ回路が、第１のスイッチング信号の第１の論理状態及び第２のスイッチング信号の第２の論理状態に応答して、前記第１の出力から第１の電流を及び前記第２の出力から第２の電流をソースするため、及び、前記第１のスイッチング信号の第２の論理状態及び前記第２のスイッチング信号の第１の論理状態に応答して、前記第２の出力から前記第１の電流を及び前記第１の出力から前記第２の電流をソースするためであり、
前記第１の電流レッグが、前記第１の出力からソースされるとき前記第１の電流を受信し、第３のスイッチング信号の第１の論理状態及び第４のスイッチング信号の第２の論理状態に応答して、前記第１の電流から第１のレッグ電圧を生成するため、及び、前記第１の出力からソースされるとき前記第２の電流を受信し、前記第３のスイッチング信号の前記第１の論理状態及び前記第４のスイッチング信号の前記第２の論理状態に応答して、前記第２の電流から第２のレッグ電圧を生成するためであり、
前記第２の電流レッグが、前記第２の出力からソースされるとき前記第２の電流を受信し、前記第３のスイッチング信号の第２の論理状態及び前記第４のスイッチング信号の第１の論理状態に応答して、前記第２の電流から第３のレッグ電圧を生成するため、及び、前記第２の出力からソースされるとき前記第１の電流を受信し、前記第３のスイッチング信号の前記第２の論理状態及び前記第４のスイッチング信号の前記第１の論理状態に応答して、前記第１の電流から第４のレッグ電圧を生成するためであり、
前記共用電流レッグが、
前記第２の出力からソースされるとき前記第２の電流を受信し、前記第３のスイッチング信号の前記第１の論理状態及び前記第４のスイッチング信号の前記第２の論理状態に応答して、前記第２の電流から第１の共用電圧を生成するため、
前記第２の出力からソースされるとき前記第１の電流を受信し、前記第３のスイッチング信号の前記第１の論理状態及び前記第４のスイッチング信号の前記第２の論理状態に応答して、前記第１の電流から第２の共用電圧を生成するため、
前記第１の出力からソースされるとき前記第１の電流を受信し、前記第３のスイッチング信号の前記第２の論理状態及び前記第４のスイッチング信号の前記第１の論理状態に応答して、前記第１の電流から第３の共用電圧を生成するため、及び
前記第１の出力からソースされるとき前記第２の電流を受信し、前記第３のスイッチング信号の前記第２の論理状態及び前記第４のスイッチング信号の前記第１の論理状態に応答して、前記第２の電流から第４の共用電圧を生成するためである、
弛張発振器回路要素。
【請求項２】
請求項１に記載の弛張発振器回路要素であって、更に、前記電流スワップ回路と前記第１の電流レッグと前記第２の電流レッグと前記共用電流レッグとに結合されるスイッチング制御回路を含み、前記スイッチング制御回路が、
前記第１のレッグ電圧を前記第１の共用電圧と比較し、前記第１のレッグ電圧が前記第１の共用電圧を超えるとき、前記第３のスイッチング信号の論理状態及び前記第４のスイッチング信号の論理状態を変えるため、
前記第３のレッグ電圧を前記第３の共用電圧と比較し、前記第３のレッグ電圧が前記第３の共用電圧を超えるとき、前記第１のスイッチング信号の論理状態、前記第２のスイッチング信号の論理状態、前記第３のスイッチング信号の前記論理状態、及び前記第４のスイッチング信号の前記論理状態を変えるため、
前記第２のレッグ電圧を前記第２の共用電圧と比較し、前記第２のレッグ電圧が前記第２の共用電圧を超えるとき、前記第３のスイッチング信号の前記論理状態及び前記第４のスイッチング信号の前記論理状態を変えるため、及び
前記第４のレッグ電圧を前記第４の共用電圧と比較し、前記第４のレッグ電圧が前記第４の共用電圧を超えるとき、前記第１のスイッチング信号の前記論理状態、前記第２のスイッチング信号の前記論理状態、前記第３のスイッチング信号の前記論理状態、及び前記第４のスイッチング信号の前記論理状態を変えるためである、
弛張発振器回路要素。
【請求項３】
請求項２に記載の弛張発振器回路要素であって、前記電流スワップ回路が、
前記第１の電流を生成するための第１の電流源、
前記第２の電流を生成するための第２の電流源、
前記第１のスイッチング信号を受け取るように結合される制御端子と、前記第１の電流源に結合される第１の端子と、前記第１の出力に結合される第２の端子とを有する第１のスイッチ、
前記第１のスイッチング信号を受け取るように結合される制御端子と、前記第２の電流源に結合される第１の端子と、前記第２の出力に結合される第２の端子とを有する第２のスイッチ、
前記第２のスイッチング信号を受け取るように結合される制御端子と、前記第２の電流源に結合される第１の端子と、前記第１の出力に結合される第２の端子とを有する第３のスイッチ、及び
前記第２のスイッチング信号を受け取るように結合される制御端子と、前記第１の電流源に結合される第１の端子と、前記第２の出力に結合される第２の端子とを有する第４のスイッチ、
を含む、弛張発振器回路要素。
【請求項４】
請求項３に記載の弛張発振器回路要素であって、前記第１の電流レッグが、
前記第３のスイッチング信号を受け取るように結合される制御端子と、前記第１の出力に結合される第１の端子と、第２の端子とを有する第５のスイッチ、
前記第４のスイッチング信号を受け取るように結合される制御端子と、前記第５のスイッチの前記第２の端子に結合される第１の端子と、接地に結合される第２の端子とを有する第６のスイッチ、及び
前記第５のスイッチの前記第２の端子に結合される頂部プレートと、接地に結合される底部プレートとを有するキャパシタ、
を含む、弛張発振器回路要素。
【請求項５】
請求項４に記載の弛張発振器回路要素であって、前記第２の電流レッグが、
前記第４のスイッチング信号を受け取るように結合される制御端子と、前記第２の出力に結合される第１の端子と、第２の端子とを有する第７のスイッチ、
前記第３のスイッチング信号を受け取るように結合される制御端子と、前記第７のスイッチの前記第２の端子に結合される第１の端子と、接地に結合される第２の端子とを有する第８のスイッチ、及び
前記第７のスイッチの前記第２の端子に結合される頂部プレートと、接地に結合される底部プレートとを有するキャパシタ、
を含む、弛張発振器回路要素。
【請求項６】
請求項５に記載の弛張発振器回路要素であって、前記共用電流レッグが、
前記第４のスイッチング信号を受け取るように結合される制御端子と、前記第１の出力に結合される第１の端子と、第２の端子とを有する第９のスイッチ、
前記第３のスイッチング信号を受け取るように結合される制御端子と、前記第２の出力に結合される第１の端子と、第２の端子とを有する第１０のスイッチ、及び
前記第９のスイッチの前記第２の端子及び第１０のスイッチの前記第２の端子に結合される第１の端部と、接地に結合される第２の端部とを有するレジスタ、
を含む、弛張発振器回路要素。
【請求項７】
請求項６に記載の弛張発振器回路要素であって、前記スイッチング制御回路が、前記第１の出力に結合される正の入力と、前記第２の出力に結合される負の入力と、比較出力とを有するコンパレータを含む、弛張発振器回路要素。
【請求項８】
請求項７に記載の弛張発振器回路要素であって、前記スイッチング制御回路が更に、
前記比較出力に結合されるインバータ、
前記比較出力及び前記インバータに結合されるフリップフロップ、及び
前記フリップフロップに結合される周波数ディバイダ、
を含む、弛張発振器回路要素。
【請求項９】
請求項７に記載の弛張発振器回路要素であって、前記フリップフロップが、前記インバータに結合されるＲ入力と、前記比較出力に結合されるＳ入力と、前記周波数ディバイダに結合されるＱ出力と、反転されたＱ出力とを備える、ＲＳフリップフロップである、弛張発振器回路要素。
【請求項１０】
請求項９に記載の弛張発振器回路要素であって、前記Ｑ出力が前記第３のスイッチング信号を生成し、前記反転されたＱ出力が前記第４のスイッチング信号を生成する、弛張発振器回路要素。
【請求項１１】
請求項１０に記載の弛張発振器回路要素であって、前記第４のスイッチング信号が、前記第３のスイッチング信号の反転である、弛張発振器回路要素。
【請求項１２】
弛張発振器を動作させる方法であって、前記方法が、
第１のスイッチング信号の第１の論理状態及び第２のスイッチング信号の第２の論理状態に応答して、第１の出力から第１の電流を及び第２の出力から第２の電流をソースすること、
前記第１のスイッチング信号の第２の論理状態及び前記第２のスイッチング信号の第１の論理状態に応答して、前記第２の出力から前記第１の電流を及び前記第１の出力から前記第２の電流をソースすること、
前記第１の出力からソースされるとき前記第１の電流を受信し、第３のスイッチング信号の第１の論理状態及び第４のスイッチング信号の第２の論理状態に応答して、前記第１の電流から第１のレッグ電圧を生成すること、
前記第１の出力からソースされるとき前記第２の電流を受信し、前記第３のスイッチング信号の前記第１の論理状態及び前記第４のスイッチング信号の前記第２の論理状態に応答して、前記第２の電流から第２のレッグ電圧を生成すること、
前記第２の出力からソースされるとき前記第２の電流を受信し、前記第３のスイッチング信号の第２の論理状態及び前記第４のスイッチング信号の第１の論理状態に応答して、前記第２の電流から第３のレッグ電圧を生成すること、  前記第２の出力からソースされるとき前記第１の電流を受信し、前記第３のスイッチング信号の前記第２の論理状態及び前記第４のスイッチング信号の前記第１の論理状態に応答して、前記第１の電流から第４のレッグ電圧を生成すること、
前記第２の出力からソースされるとき前記第２の電流を受信し、前記第３のスイッチング信号の前記第１の論理状態及び前記第４のスイッチング信号の前記第２の論理状態に応答して、前記第２の電流から第１の共用電圧を生成すること、
前記第２の出力からソースされるとき前記第１の電流を受信し、前記第３のスイッチング信号の前記第１の論理状態及び前記第４のスイッチング信号の前記第２の論理状態に応答して、前記第１の電流から第２の共用電圧を生成すること、
前記第１の出力からソースされるとき前記第１の電流を受信し、前記第３のスイッチング信号の前記第２の論理状態及び前記第４のスイッチング信号の前記第１の論理状態に応答して、前記第１の電流から第３の共用電圧を生成すること、及び
前記第１の出力からソースされるとき前記第２の電流を受信し、前記第３のスイッチング信号の前記第２の論理状態及び前記第４のスイッチング信号の前記第１の論理状態に応答して、前記第２の電流から第４の共用電圧を生成すること、
を更に含む、方法。
【請求項１３】
請求項１２に記載の方法であって、
前記第１のレッグ電圧を前記第１の共用電圧と比較し、前記第１のレッグ電圧が前記第１の共用電圧を超えるとき、前記第３のスイッチング信号の論理状態及び前記第４のスイッチング信号の論理状態を変えること、
前記第３のレッグ電圧を前記第３の共用電圧と比較し、前記第３のレッグ電圧が前記第３の共用電圧を超えるとき、前記第１のスイッチング信号の論理状態、前記第２のスイッチング信号の論理状態、前記第３のスイッチング信号の前記論理状態、及び前記第４のスイッチング信号の前記論理状態を変えること、
前記第２のレッグ電圧を前記第２の共用電圧と比較し、前記第２のレッグ電圧が前記第２の共用電圧を超えるとき、前記第３のスイッチング信号の前記論理状態及び前記第４のスイッチング信号の前記論理状態を変えること、及び
前記第４のレッグ電圧を前記第４の共用電圧と比較し、前記第４のレッグ電圧が前記第４の共用電圧を超えるとき、前記第１のスイッチング信号の前記論理状態、前記第２のスイッチング信号の前記論理状態、前記第３のスイッチング信号の前記論理状態、及び前記第４のスイッチング信号の前記論理状態を変えること、
を更に含む、方法。
【請求項１４】
請求項１３に記載の方法であって、前記第１のレッグ電圧が前記第１の共用電圧を超えた後前記第３のレッグ電圧が前記第３の共用電圧と比較され、前記第３のレッグ電圧が前記第３の共用電圧を超えた後、前記第２のレッグ電圧が前記第２の共用電圧と比較される、方法。
【請求項１５】
請求項１４に記載の方法であって、前記第１のレッグ電圧が、或る時間期間にわたって上昇する、方法。
【請求項１６】
請求項１５に記載の方法であって、前記第１の共用電圧が、前記時間期間にわたって実質的に一定である、方法。